(57)【要約】【課題】顕微鏡の構成を複雑にすることなく、簡易な構成および操作で、ＬＥＤ光源の自家蛍光を防止する顕微鏡装置を提供する。【解決手段】本発明は、落射照明光学系３および透過照明光学系４を有し、透過照明光学系４が、単色ＬＥＤ素子１５ａと、単色ＬＥＤ素子１５ａが発光する特定波長領域の光により励起されて、前記光より長波長側の蛍光を発する蛍光体１５ｂとからなる透過照明用光源１５を有し、落射照明光学系３が照射する光が透過照明用光源１５の蛍光体１５ｂを励起しうる顕微鏡装置１において、透過照明光学系４に入射しうる落射照明光学系３の落射光源１１ａが発する光を検出する光検出器１８ｂと、落射照明光学系３の落射光源１１ａが発する光の透過照明用光源１５への入射を遮断するシャッタ１６と、光検出器１８ｂから送信された光検出信号をトリガーとして顕微鏡装置１を制御する制御部３０と、を備えることを特徴とする。【選択図】図１
2018084766.tif 000002
【特許請求の範囲】
【請求項１】
少なくとも第１照明光学系および第２照明光学系を有し、前記第１照明光学系が、単色ＬＥＤ素子と、該単色ＬＥＤ素子が発光する特定波長領域の光により励起されて、前記光より長波長側の蛍光を発する蛍光体とからなるＬＥＤ光源を有し、前記第２照明光学系が照射する光が前記ＬＥＤ光源の蛍光体を励起しうる顕微鏡装置において、
前記第１照明光学系に入射しうる前記第２照明光学系の光源が発する光を検出する検出手段と、
前記第２照明光学系の光源が発する光の前記ＬＥＤ光源への入射を遮断する入射光遮断手段と、
前記検出手段から送信された光検出信号をトリガーとして顕微鏡装置を制御する制御手段と、
を備えることを特徴とする顕微鏡装置。
【請求項２】
前記検出手段は、
光検出器と、
前記ＬＥＤ光源から出射された光は導光せず、前記第１照明光学系に入射した前記第２照明光学系の光源が発する光の一部を分岐して、前記光検出器に入射する分岐手段と、
を有し、
前記制御手段は、前記検出手段が前記第２照明光学系の光源が発する光の前記第１照明光学系への入射を検出した場合に、前記入射光遮断手段の制御により前記ＬＥＤ光源への光の入射を遮断することを特徴とする請求項１に記載の顕微鏡装置。
【請求項３】
前記検出手段は前記ＬＥＤ光源であり、
前記制御手段は、前記検出手段が前記第２照明光学系の光源が発する光の前記第１照明光学系への入射を検出した場合に、前記入射光遮断手段の制御により前記ＬＥＤ光源への光の入射を遮断することを特徴とする請求項１に記載の顕微鏡装置。
【請求項４】
前記入射光遮断手段は、前記ＬＥＤ光源の光路に挿脱可能な遮光板であることを特徴とする請求項１に記載の顕微鏡装置。
【請求項５】
前記遮光板は、前記ＬＥＤ光源と前記分岐手段との間に配置されていることを特徴とする請求項２に記載の顕微鏡装置。
【請求項６】
前記入射光遮断手段は、前記ＬＥＤ光源を光路上に挿脱する駆動制御手段であることを特徴とする請求項１に記載の顕微鏡装置。
【請求項７】
前記検出手段は光検出器のみからなり、前記第２照明光学系を内蔵する投光管内に配置されて、前記第２照明光学系の光源が発する光の散乱光を検出し、前記制御手段は、前記検出手段が前記第２照明光学系の光源が発する光を検出した場合に、前記入射光遮断手段の制御により前記ＬＥＤ光源への光の入射を遮断することを特徴とする請求項１に記載の顕微鏡装置。
【請求項８】
使用者に、前記第１照明光学系への前記第２照明光学系の光源が発する光の入射の有無を通知する通知手段を備えることを特徴とする請求項１に記載の顕微鏡装置。
【発明の詳細な説明】
【技術分野】
【０００１】
本発明は、蛍光観察が可能な照明光学系と、白色ＬＥＤを光源とする照明光学系とを備える顕微鏡装置に関する。
【背景技術】
【０００２】
従来、種々の観察法および観察標本に応じて、落射照明光学系と透過照明光学系とを切り替えて観察することが可能な顕微鏡装置が知られている。
【０００３】
近年、照明光源の長寿命、低消費電力を目的として、透過照明光学系の光源としてハロゲンランプに代えて白色ＬＥＤ（Light  Emitting  Diode）を使用する顕微鏡が増えている。白色ＬＥＤとして、演色性、制御性および大きさ等の観点から、単一色のＬＥＤと蛍光体とを組み合わせた白色ＬＥＤが使用されている。このような白色ＬＥＤを使用する顕微鏡において、落射照明光学系で蛍光観察を行うと、蛍光落射照明から標本に照射された励起光の一部が標本を透過して透過照明光学系の光源である白色ＬＥＤに入射して、蛍光体を励起し、蛍光体が蛍光を発光する。したがって、落射蛍光観察の際、透過照明の蛍光体が発光した蛍光が加わることとなり、ノイズとして検出されてしまうという問題を有していた。
【０００４】
この問題に対し、観察方法が操作部により入力されると、選択された観察方法に応じて、落射光源または白色ＬＥＤ光源を消灯するとともに、透過観察光路への透過フィルタまたはシャッタの挿脱を電動で行う顕微鏡システム（例えば、特許文献１参照）が提案されている。また、ボタン型スイッチにより透過観察が選択（ＯＮ）されると、白色ＬＥＤ光源が点灯し、遮光部材を光路から取り除き、透過観察が非選択（ＯＦＦ）されると、白色ＬＥＤ光源を消灯し、遮光部材を光路に挿入する顕微鏡（例えば、特許文献２参照）が提案されている。
【先行技術文献】
【特許文献】
【０００５】
【特許文献１】特開２０１０−１０２０９５号公報
【特許文献２】特開２０１３−１４２８２９号公報
【発明の概要】
【発明が解決しようとする課題】
【０００６】
しかしながら、特許文献１では、観察方法が選択されると、落射光源および白色ＬＥＤ光源のＯＮ／ＯＦＦ制御、ならびに遮光手段の駆動制御を制御手段が制御プログラムを実行することにより行うため、コンピュータが必要となり高価なシステムとなるほか、観察に要するスペースも大きくなる。
【０００７】
一方、特許文献２では、コンピュータは不要であるものの、透過観察が選択（ＯＮ）された際に、落射光源からの光の入射を制限する操作（光源のオフ、またはシャッタの挿入）が必要となり、操作を忘れると落射照明光が標本に照射され、退色してしまう。
【０００８】
本発明は、上記に鑑みてなされたものであって、顕微鏡の構成を複雑にすることなく、簡易な構成および操作で、ＬＥＤ光源の自家蛍光を防止することができる顕微鏡装置を提供することを目的とする。
【課題を解決するための手段】
【０００９】
上述した課題を解決し、目的を達成するために、本発明にかかる顕微鏡装置は、少なくとも２つの第１照明光学系および第２照明光学系を有し、第１照明光学系が、単色ＬＥＤ素子と、該単色ＬＥＤ素子が発光する特定波長領域の光により励起されて、前記光より長波長側の蛍光を発する蛍光体とからなるＬＥＤ光源を有し、前記第２照明光学系が照射する光が前記ＬＥＤ光源の蛍光体を励起しうる顕微鏡装置において、前記第１照明光学系に入射しうる前記第２照明光学系の光源が発する光を検出する検出手段と、前記第２照明光学系の光源が発する光の前記ＬＥＤ光源への入射を遮断する入射光遮断手段と、前記検出手段から送信された光検出信号をトリガーとして顕微鏡装置を制御する制御手段と、を備えることを特徴とする。
【００１０】
また、本発明にかかる顕微鏡装置は、上記発明において、前記検出手段は、光検出器と、前記ＬＥＤ光源から出射された光は導光せず、前記第１照明光学系に入射した前記第２照明光学系の光源が発する光の一部を分岐して、前記光検出器に入射する分岐手段と、を有し、前記制御手段は、前記検出手段が前記第２照明光学系の光源が発する光の前記第１照明光学系への入射を検出した場合に、前記入射光遮断手段の制御により前記ＬＥＤ光源への光の入射を遮断することを特徴とする。
【００１１】
また、本発明にかかる顕微鏡装置は、上記発明において、前記検出手段は前記ＬＥＤ光源であり、前記制御手段は、前記検出手段が前記第２照明光学系の光源が発する光の前記第１照明光学系への入射を検出した場合に、前記入射光遮断手段の制御により前記ＬＥＤ光源への光の入射を遮断することを特徴とする。
【００１２】
また、本発明にかかる顕微鏡装置は、上記発明において、前記入射光遮断手段は、前記ＬＥＤ光源の光路に挿脱可能な遮光板であることを特徴とする。
【００１３】
また、本発明にかかる顕微鏡装置は、上記発明において、前記遮光板は、前記ＬＥＤ光源と前記分岐手段との間に配置されていることを特徴とする。
【００１４】
また、本発明にかかる顕微鏡装置は、上記発明において、前記入射光遮断手段は、前記ＬＥＤ光源を光路上に挿脱する駆動制御手段であることを特徴とする。
【００１５】
また、本発明にかかる顕微鏡装置は、上記発明において、前記検出手段は光検出器のみからなり、前記第２照明光学系を内蔵する投光管内に配置されて、前記第２照明光学系の光源が発する光の散乱光を検出し、前記制御手段は、前記検出手段が前記第２照明光学系の光源が発する光を検出した場合に、前記入射光遮断手段の制御により前記ＬＥＤ光源への光の入射を遮断することを特徴とする。
【００１６】
また、本発明にかかる顕微鏡装置は、上記発明において、使用者に、前記第１照明光学系への前記第２照明光学系の光源が発する光の入射の有無を通知する通知手段を備えることを特徴とする。
【発明の効果】
【００１７】
本発明によれば、コンピュータを用いることなく、落射蛍光観察の際、自動的にＬＥＤ光源への落射光源の入射を制限でき、ノイズのない落射蛍光観察を行うことが可能となる。
【図面の簡単な説明】
【００１８】
【図１】図１は、本発明の実施の形態１にかかる顕微鏡装置の全体構成を示す概略図である。
【図２】図２は、図１の顕微鏡装置で使用する透過照明用ユニットの拡大図である。
【図３】図３は、本発明の実施の形態１の変形例にかかる透過照明用ユニットの拡大図である。
【図４】図４は、本発明の実施の形態２にかかる顕微鏡装置の全体構成を示す概略図である。
【図５】図５は、本発明の実施の形態３にかかる顕微鏡装置の全体構成を示す概略図である。
【図６】図６は、本発明の実施の形態３にかかる顕微鏡装置の通知手段の制御を示すフローチャートである。
【図７】図７は、本発明の実施の形態３にかかる顕微鏡装置の透過照明用光源の駆動回路の一例を示す図である。
【図８】図８は、本発明の実施の形態３の変形例にかかる顕微鏡装置の全体構成を示す概略図である。
【図９】図９は、本発明の実施の形態３の変形例にかかる顕微鏡装置の制御を示すフローチャートである。
【発明を実施するための形態】
【００１９】
以下、図面を参照し、本発明の好適な実施の形態（以下「実施の形態」という）について詳細に説明する。なお、この実施の形態によって本発明が限定されるものではない。また、図面の記載において、同一部分には同一の符号を付して示している。
【００２０】
（実施の形態１）
図１は、本発明の実施の形態１にかかる顕微鏡装置の全体構成を示す概略図である。本発明の実施の形態１にかかる顕微鏡装置１は、顕微鏡本体２と、落射照明光学系３と、透過照明光学系４と、を備える。
【００２１】
顕微鏡本体２は、ベース部２ａと、ベース部２ａの背面側に立設する柱部２ｂと、柱部２ｂに支持されて正面側に向かって延在するアーム部２ｃとを有する。ベース部２ａは、机上等の顕微鏡１が設置される場所に直接載置される部分であり、内部に透過照明光学系４が配置されている。また、ベース部２ａはステージ保持部材７ａを介して、標本Ｓを載置するステージ７を保持する。
【００２２】
柱部２ｂは、ベース部２ａの背面側（奥側）に立設され、下端部でベース部２ａと一体化されている。アーム部２ｃは、柱部２ｂの上端から顕微鏡装置１の正面側に向かってベース部２ａに対向して水平に延在し、下側にレボルバ５が取り付けられるとともに、上側に鏡筒８、接眼レンズ９およびカメラ１０が取り付けられている。また、アーム部２ｃの中空の内部には、落射照明光学系３が配置されている。なお、本明細書において、顕微鏡装置１の正面側は観察者が位置する側であり、背面側は正面側に対向する側を意味する。
【００２３】
レボルバ５は、アーム部２ｃに対して回転自在に保持され、対物レンズ６を標本Ｓの上方に配置する。図１では、１つの対物レンズ６を保持するレボルバ５を示しているが、通常、レボルバ５に対して倍率（観察倍率）の異なる複数の対物レンズ６が交換自在に装着されており、レボルバ５の回転に応じて光路ｍ上に挿入されて標本Ｓの観察に用いる対物レンズ６が択一的に切り換えられるようになっている。
【００２４】
落射照明光学系３は、落射観察を行うための光学要素である。落射照明光学系３は、本発明の第２照明光学系として機能する。落射照明光学系３として、蛍光照明用ユニット１１からステージ７に載置された標本Ｓの上面に至るまでの間に、落射光量調整手段として機能するＮＤ（Neutral  Density）フィルタ１２と、蛍光ミラーユニット１３とが配置されている。落射光源１１ａから照射された照明光は、コレクタレンズ１１ｂおよびＮＤフィルタ１２を通過し、蛍光ミラーユニット１３内の励起フィルタ１３ａにより標本Ｓに染色された蛍光色素に必要な励起波長のみが透過される。透過された照明光は、ダイクロイックミラー１３ｂにより対物レンズ６に向けて反射され、対物レンズ６を透過した後に標本Ｓに照射される。照明光が照射された標本Ｓからは、標本Ｓに染色された蛍光色素が励起されて、励起光より長い波長成分の蛍光が発せられる。この蛍光は、対物レンズ６、ダイクロイックミラー１３ｂを透過し、吸収フィルタ１３ｃにより観察に必要な蛍光波長のみが透過され、さらに鏡筒８内に配置される図示しない結像レンズ、プリズムを通過して結像され、接眼レンズ９、またはカメラ１０により観察できるようになる。
【００２５】
透過照明光学系４は、透過観察を行うための光学要素である。透過照明光学系４は、本発明の第1照明光学系として機能する。透過照明用ユニット１４の透過照明用光源１５から出射された透過観察用の照明光は、コレクタレンズ１７、光分岐手段として機能するハーフミラー１８ａを透過し、ミラー１９により反射された後、コンデンサレンズ２０を通過し、標本Ｓに照射されて透過することになる。標本Ｓを透過した光は、対物レンズ６を透過し、さらに鏡筒８内に配置される図示しない結像レンズ、プリズムを通過して結像され、接眼レンズ９またはカメラ１０により観察できるようになる。なお、透過観察の際は、蛍光ミラーユニット１３は光路ｍから抜き出されている。
【００２６】
透過照明用光源１５は、単色ＬＥＤ素子１５ａと蛍光体１５ｂとを有する白色ＬＥＤであり、青色ＬＥＤと黄色蛍光体からなるもの、青色ＬＥＤと赤色および緑色蛍光体からなるもの等、が例示される。
【００２７】
透過照明用ユニット１４内には、透過照明用光源１５、コレクタレンズ１７、およびハーフミラー１８ａに加えて、シャッタ１６およびフォトディテクタ等で構成される光検出器１８ｂが配置されている。本実施の形態１では、シャッタ１６が入射光遮断手段として機能し、ハーフミラー１８ａおよび光検出器１８ｂが検出手段として機能する。
【００２８】
制御部３０は、シャッタ１６を光路ｍ上に挿脱する遮光手段制御部３１と、透過照明用光源１５の発光制御を行うＬＥＤ光源制御部３２と、を備える。
【００２９】
図２は、図１の顕微鏡装置１で使用する透過照明用ユニット１４の拡大図である。図２の（Ａ）は透過照明光学系４に落射照明光が入射した状態、図２の（Ｂ）は光検出器１８ｂが落射照明光を検出した後の状態を示している。
【００３０】
図２の（Ａ）に示すように、透過照明光学系４に落射照明光Ｌが入射すると、ハーフミラー１８ａは、落射照明光Ｌを、透過照明用光源１５に入射する落射照明光Ｌ１と、光検出器１８ｂに入射する落射照明光Ｌ２とに分岐する。
【００３１】
光検出器１８ｂは、落射照明光Ｌ２を検出すると、検出信号を制御部３０に出力する。制御部３０が検出信号を受信すると、図２の（Ｂ）に示すように、遮光手段制御部３１がシャッタ１６を光路ｍ上に挿入し、ＬＥＤ光源制御部３２が透過照明用光源１５を消灯する。
【００３２】
ＮＤフィルタ１２により落射光量が調整され、光検出器１８ｂが、透過照明光学系４への落射照明光Ｌの入射が検出されなくなると、検出信号がＯＦＦとなり、遮光手段制御部３１がシャッタ１６を光路ｍ上から抜き出し、ＬＥＤ光源制御部３２が透過照明用光源１５を点灯する。
【００３３】
本実施の形態１では、光検出器１８ｂによる落射照明光Ｌ２の検出をトリガーとして、シャッタ１６を光路ｍ上に挿脱することにより、落射蛍光観察時に透過照明用光源１５の自家蛍光を防止することができる。また、本実施の形態１では、光検出器１８ｂが落射照明光Ｌ２を検出している間は、光路ｍ上にシャッタ１６が挿入され続け、検出されなくなると光路ｍ上から自動的に抜き出されるため、シャッタの挿脱忘れがなく、不要な照明による標本Ｓの退色を防止することができる。さらに、本実施の形態１では、光検出器１８ｂによる落射照明光Ｌ２の検出の有無により、シャッタ１６の挿脱および透過照明用光源１５の点灯・消灯が制御できるため、ＮＤフィルタ１２の操作のみで、透過観察、落射観察の切換を素早く行うことができる。さらにまた、本実施の形態１では、透過照明用ユニット１４内に、検出手段および入射光遮断手段を備えるため、制御部３０を収納したコントロールボックスとともに、または、制御部３０を内蔵した透過照明用ユニットとして、従来使用される手動顕微鏡装置の透過照明用ユニットに置き換え可能である。
【００３４】
なお、本実施の形態１では、透過照明用光源１５にＬＥＤ光源を用いた例について説明したが、これに限定するものではなく、落射照明用光源にＬＥＤ光源を用いた場合についても本実施の形態１を適用することができる。また、本実施の形態１で説明した正立顕微鏡のみならず、倒立顕微鏡においても同様に本実施の形態１を適用することができる。
【００３５】
また、本実施の形態１では、落射光量調整手段としてＮＤフィルタ１２を使用しているが、落射光量調整手段としてシャッタ等を使用することも可能である。
【００３６】
さらに、本実施の形態１では、光検出器１８ｂによる落射照明光Ｌ２の検出をトリガーとして、ＬＥＤ光源制御部３２が透過照明用光源１５を消灯するが、ＬＥＤ光源制御部３２を設けることなく、透過照明用光源１５の点灯・消灯を手動で行ってもよい。
【００３７】
さらにまた、本実施の形態１では、入射光遮断手段としてシャッタ１６を使用しているが、透過照明用光源１５を光路ｍ上から挿脱して、透過照明用光源１５の自家蛍光を防止してもよい。
【００３８】
図３は、本発明の実施の形態１の変形例にかかる透過照明用ユニットの拡大図である。実施の形態１の変形例では、透過照明用光源１５を光路ｍから挿脱する駆動制御部（図示しない）を有する。
【００３９】
本発明の実施の形態１の変形例では、光検出器１８ｂが落射照明光Ｌ２を検出すると、駆動制御部が透過照明用光源１５を光路ｍから抜き出し、光検出器１８ｂにより透過照明光学系４への落射照明光Ｌ２の入射が検出されなくなると、駆動制御部が透過照明用光源１５を光路ｍ上に挿入される。駆動制御部による透過照明用光源１５の光路ｍ上への挿脱は、図３に示す直線運動機構でもよく、あるいは回転運動機構でもよい。
【００４０】
本発明の実施の形態１の変形例によっても、光検出器１８ｂによる落射照明光Ｌ２の検出をトリガーとして、透過照明用光源１５を光路上に挿脱することにより、落射蛍光観察時に透過照明用光源１５の自家蛍光を防止することができる。
【００４１】
（実施の形態２）
実施の形態２にかかる顕微鏡装置は、検出手段である光検出器が、落射照明光学系３を内蔵する投光管内に配置される点で実施の形態１と異なる。図４は、本発明の実施の形態２にかかる顕微鏡装置１Ａの全体構成を示す概略図である。以下、実施の形態１と異なる点について説明する。
【００４２】
実施の形態２にかかる顕微鏡装置１Ａにおいて、光検出器１８ｂは、ＮＤフィルタ１２と対物レンズ５の間に配置されている。光検出器１８ｂは、投光管内の落射照明光の散乱光を検出する。したがって、実施の形態２では、光分岐手段としてのハーフミラーは不要であるが、ハーフミラーを使用して、光検出器に落射照明光を入射させてもよい。
【００４３】
光検出器１８ｂが投光管内の落射照明光を検出すると、遮光手段制御部３１がシャッタ１６を光路ｍ上に挿入し、ＬＥＤ光源制御部３２が透過照明用光源１５を消灯する。ＮＤフィルタ１２により落射光量が調整され、光検出器１８ｂにより投光管内の落射照明光を検出されなくなると、遮光手段制御部３１がシャッタ１６を光路ｍ上から抜き出す。
【００４４】
本発明の実施の形態２では、光検出器１８ｂによる投光管内の落射照明光の検出をトリガーとして、シャッタ１６を光路上に挿脱することにより、落射蛍光観察時に透過照明用光源１５の自家蛍光を防止することができる。また、実施の形態２では、光分岐手段を使用しないため、透過観察の際に光分岐手段による透過照明光の光量低下を防止できる。
【００４５】
なお、実施の形態２では、透過照明用ユニット１４内のシャッタ１６を光路ｍ上に挿脱するが、シャッタ１６は、透過照明光路上であれば透過照明用ユニット１４外、例えば、透過照明光路上であって、コンデンサレンズ２０とミラー１９の間（ベース部２ａ上）に配置してもよい。
【００４６】
（実施の形態３）
実施の形態３にかかる顕微鏡装置は、検出手段として透過照明用光源を使用する点で実施の形態１および２と異なる。図５は、本発明の実施の形態３にかかる顕微鏡装置の全体構成を示す概略図である。図６は、本発明の実施の形態３にかかる顕微鏡装置の通知手段の制御を示すフローチャートである。図７は、本発明の実施の形態３にかかる顕微鏡装置の透過照明用光源の駆動回路の一例を示す図である。以下、実施の形態１および２と異なる点について説明する。
【００４７】
実施の形態３にかかる顕微鏡装置１Ｂにおいて、透過照明用光源１５が落射照明光を検出する検出手段として機能し、ハーフミラー１８ａおよび光検出器１８ｂは配置されていない。また、シャッタ１６Ｂは、透過照明用ユニット１４Ｂではなく、コンデンサレンズ２０とミラー１９の間（ベース部２ａ上）に配置されている。また、通知手段としてインジケータ３６が、顕微鏡本体２Ｂに配置されている。
【００４８】
制御部３０Ｂは、ＬＥＤ光源制御部３２Ｂと、透過照明用光源１５の調光を指示するＤＡコンバータ３３と、透過照明用光源１５への電流流入を判断するＡＤコンバータ３４と、インジケータ３６を制御する通知手段制御部３５と、を備える。
【００４９】
透過照明用光源１５は、電圧を加えると発光するが、太陽光電池と同様に光が照射されると電流が発生する。本実施の形態３では、透過照明用光源１５への落射照明光の照射による電流の発生を検出する。
【００５０】
透過照明用光源１５の調光指示は、ＤＡコンバータ３３により設定され、ＤＡコンバータ３３で０を指示することにより、透過照明用光源１５は消灯する。ＤＡコンバータ３３で０が指示されると（透過照明用光源１５を消灯）、図７に示す透過照明用光源１５の駆動回路には電流は流れない。しかし、落射照明光が透過照明用光源１５に照射されると電流が流れる。電流値が閾値以上であるか否かをＡＤコンバータ３４で検出する。
【００５１】
本発明の実施の形態３にかかる顕微鏡装置１Ｂにおける、透過照明光学系４への落射照明光の入射の検知について、図６を参照して説明する。
【００５２】
まず、ＤＡコンバータ３３の設定値が０か否かを判定する（ステップＳ１）。ＤＡコンバータ３３の設定値が０である場合（ステップＳ１：Ｙｅｓ）、透過照明用光源１５は消灯状態であり、ステップＳ２で透過照明用光源１５に落射照明光が入射しているか否かを判断する。ＤＡコンバータ３３の設定値が０でない場合（ステップＳ１：Ｎｏ）、通知手段制御部３５はインジケータ３６をＯＦＦに制御する（ステップＳ５）。
【００５３】
ＤＡコンバータ３３の設定値が０である場合（ステップＳ１：Ｙｅｓ）、ＡＤコンバータ３４が閾値以上か否かを判定する（ステップＳ２）。ＡＤコンバータ３４が閾値以上の場合（ステップＳ２：Ｙｅｓ）、透過照明用光源１５に落射照明光が入射していると判断し、検出信号を制御部３０Ｂに出力する。制御部３０Ｂが検出信号を受信すると、通知手段制御部３５がインジケータ３６をＯＮとして、ユーザーに、透過照明用光源１５への落射照明光の入射を通知する（ステップＳ３）。ＡＤコンバータ３４が閾値未満の場合（ステップＳ２：Ｎｏ）、通知手段制御部３５はインジケータ３６をＯＦＦに制御する（ステップＳ５）。
【００５４】
ユーザーにより、光路ｍ上からシャッタ１６Ｂが抜き出されるまで、ＡＤコンバータ３４が閾値以上か否かが判定され（ステップＳ４）、ＡＤコンバータ３４が閾値未満となった場合（ステップＳ４：Ｎｏ）、通知手段制御部３５はインジケータ３６をＯＦＦに制御する（ステップＳ５）。
【００５５】
実施の形態３では、光検出器１８ｂを用いることなく、透過照明用光源１５への落射照明光の入射を判断できるため、より簡易な構成で、落射蛍光観察時に透過照明用光源１５の自家蛍光を防止することができる。また、光分岐手段を使用しないため、透過観察の際に光分岐手段による透過照明光の光量低下を防止できる。
【００５６】
実施の形態３では、通知手段としてインジケータ３６を使用したが、これに限定するものではなく、ディスプレイのほか、警告音で通知してもよい。
【００５７】
また、実施の形態３では、シャッタ１６Ｂの挿脱を手動により行うが、電動により行ってもよい。図８は、本発明の実施の形態３の変形例にかかる顕微鏡装置の全体構成を示す概略図である。図９は、本発明の実施の形態３の変形例にかかる顕微鏡装置の制御を示すフローチャートである。
【００５８】
顕微鏡装置１Ｄでは、ＤＡコンバータ３３の設定値が０の状態（ステップＳ１１：Ｙｅｓ）で、透過照明用光源１５の駆動回路により落射照明光の入射が検出、すなわち、ＡＤコンバータ３４が閾値以上のとなると（ステップＳ１２：Ｙｅｓ）、検出信号を制御部３０Ｄに出力し、遮光手段制御部３１がシャッタ１６を光路ｍ上に挿入する（ステップＳ１３）。また、透過照明用光源１５が次に点灯するまで、すなわち、ＤＡコンバータ３３の設定値が０でなくなるまで（ステップＳ１４：Ｎｏ）、シャッタ１６は光路に挿入され続ける。透過照明用光源１５を点灯させると、遮光手段制御部３１がシャッタ１６を光路から脱出させる（ステップＳ５）。
【００５９】
本発明の実施の形態３の変形例によっても、透過照明用光源１５の駆動回路による落射照明光の検出をトリガーとして、シャッタ１６を光路上に挿脱することにより、落射蛍光観察時に透過照明用光源１５の自家蛍光を防止することができる。
【符号の説明】
【００６０】
１  顕微鏡装置
２  顕微鏡本体
２ａ  ベース部
２ｂ  柱部
２ｃ  アーム部
３  落射照明光学系
４  透過照明光学系
５  レボルバ
６  対物レンズ
７  ステージ
７ａ  ステージ保持部材
８  鏡筒
９  接眼レンズ
１１  蛍光照明用ユニット
１１ａ  落射光源
１１ｂ、１７  コレクタレンズ
１２  ＮＤフィルタ
１３  蛍光ミラーユニット
１３ａ  励起フィルタ
１３ｂ  ダイクロイックミラー
１３ｃ  吸収フィルタ
１４  透過照明用ユニット
１５  透過照明用光源
１５ａ  単色ＬＥＤ素子
１５ｂ  蛍光体
１６  シャッタ
１８ａ  ハーフミラー
１８ｂ  光検出器
１９  ミラー
２０  コンデンサレンズ
３０  制御部
３１  遮光手段制御部
３２  ＬＥＤ光源制御部
Ｓ  標本
【図１】
2018084766.tif 000003
【図２】
2018084766.tif 000004
【図３】
2018084766.tif 000005
【図４】
2018084766.tif 000006
【図５】
2018084766.tif 000007
【図６】
2018084766.tif 000008
【図７】
2018084766.tif 000009
【図８】
2018084766.tif 000010
【図９】
2018084766.tif 000011